(57)【要約】【課題】ユーザの個人情報に基づき、記録媒体の表面に形成する画像情報や記憶装置に記憶するデータを簡単且つ迅速に作成し、記録媒体に記録することができる情報作成装置および情報作成システムを提供する。【解決手段】ＩＣラベルプリンタ２のＣＰＵは、スマートフォン３からＮＦＣによる無線通信でＳＮＳサイト指定情報およびユーザＩＤを受信する（Ｓ１９）。ＣＰＵはＳＮＳサイト指定情報に基づきＳＮＳサーバ４，５にリクエストを送信し（Ｓ３３）、レスポンスとしてＳＮＳサイトにおけるユーザの個人情報を取得する（Ｓ４３）。ＣＰＵは個人情報に基づくラベルデザインを作成し（Ｓ４７）、ユーザＩＤに基づきＳＮＳサイトにおけるユーザ固有のＷｅｂページのＵＲＬを生成する（Ｓ４９）。ＣＰＵはＩＣラベルのＩＣチップにＵＲＬを記憶させ（Ｓ５３）、表面にラベルデザインを印刷させる（Ｓ５５）。【選択図】図５
2014232455.tif 000002
【特許請求の範囲】
【請求項１】
情報を記憶する第一記憶部、記録媒体の表面に画像を形成する画像形成部、および前記記録媒体に埋設された記憶装置に情報を記憶する書込部を備えた情報作成装置であって、
ユーザを識別する第一識別情報を、情報端末装置から受信する第一受信手段と、
前記第一記憶部に記憶された第一サーバを示す第二識別情報に基づいて、前記第一受信手段が受信した前記第一識別情報に対応する前記第二識別情報が示す前記第一サーバを特定する特定手段と、
前記特定手段が特定した前記第一サーバに対して、前記第一識別情報を送信する第一送信手段と、
前記第一識別情報の送信に応じて、前記第一識別情報に対応する前記ユーザの個人情報を前記第一サーバから受信する第二受信手段と、
前記第一受信手段が受信した前記個人情報に基づいて、前記個人情報に関連する画像を示す画像データ生成する第一生成手段と、
前記第一生成手段が生成した前記画像データに基づいて、前記画像を前記記録媒体の表面に形成する指示を前記画像形成部に送信する画像形成手段と、
前記第一識別情報に対応する前記第一サーバ上のＷｅｂサイトに係るアドレスを示す第一アクセス情報を取得する第一取得手段と、
前記第一取得手段が取得した前記第一アクセス情報を、前記記録媒体の前記記憶装置に記憶する指示を前記書込部に対して送信する第一記憶手段と、
を備えたことを特徴とする情報作成装置。
【請求項２】
前記情報端末装置から、前記第二識別情報を指定する指定情報を受信する第三受信手段をさらに備え、
前記特定手段は、前記第三受信手段が受信した前記指定情報に指定される前記第二識別情報に基づいて、前記第一サーバを特定することを特徴とする請求項１に記載の情報作成装置。
【請求項３】
前記第一受信手段は、複数の前記第一識別情報を前記情報端末装置から受信し、
前記第三受信手段は、複数の前記第一識別情報のそれぞれに対応する複数の前記指定情報を前記情報端末装置から受信し、
前記第二受信手段は、前記第一受信手段が受信した複数の前記第一識別情報のうちの１の第一識別情報と、複数の前記特定情報がそれぞれ指定する複数の前記第二識別情報のうち、前記１の第一識別情報に対応する１の第二識別情報とを１つの組とする複数の組のそれぞれについて、複数の前記第一サーバのうち前記１の第一識別情報と前記１の第二識別情報とが対応する第一サーバから前記個人情報を受信すること
を特徴とする請求項２に記載の情報作成装置。
【請求項４】
前記第一生成手段は、前記第一受信手段が受信した複数の前記個人情報に基づいて１つの画像情報を生成し、
前記画像形成手段は、前記第一生成手段が生成した前記１つの画像情報を前記記録媒体の前記表面に形成する指示を前記画像形成部に送信し、
前記第一取得手段は、前記１の第一識別情報と前記１の第二識別情報との一組ごとに、複数の前記第一サーバのうち前記１の第一識別情報と前記１の第二識別情報とが対応するそれぞれの第一サーバに応じた前記第一アクセス情報を取得し、
前記第一記憶手段は、前記第一取得手段が取得した複数の前記第一アクセス情報を、前記記憶装置に記憶する指示を前記書込部に対して送信すること
を特徴とする請求項３に記載の情報作成装置。
【請求項５】
前記記録媒体の前記記憶装置が保持し、前記記憶装置の個々の識別に用いる第三識別情報を取得する第二取得手段と、
前記第一識別情報と前記第三識別情報と前記個人情報とを第二サーバに送信する第二送信手段と、
をさらに備えたことを特徴とする請求項１から４のいずれかに記載の情報作成装置。
【請求項６】
前記第一識別情報と前記第三識別情報と前記個人情報とを対応付けた組を識別する第四識別情報を、前記第二サーバから受信する第四受信手段と、
前記第四受信手段が受信した前記第四識別情報に対応する前記第二サーバ上のＷｅｂサイトに係るアドレスを示す第二アクセス情報を取得する第三取得手段と、
をさらに備え、
前記第一記憶手段は、前記第三取得手段が取得した前記第二アクセス情報を、前記記憶装置に記憶する指示を前記書込部に対して送信することを特徴とする請求項５に記載の情報作成装置。
【請求項７】
前記情報端末装置と、請求項１から６のいずれかに記載の前記情報作成装置と、前記第一サーバとを含む情報作成システムであって、
前記情報端末装置は、前記第一識別情報を前記情報作成装置に送信する第三送信手段を備えたことを特徴とする情報作成システム。
【請求項８】
前記情報端末装置は、前記指定情報を前記情報作成装置に送信する第四送信手段をさらに備えたことを特徴とする請求項７に記載の情報作成システム。
【請求項９】
前記情報端末装置と、請求項３または４に記載の前記情報作成装置と、前記第一サーバとを含む情報作成システムであって、
前記情報端末装置は、
前記第一識別情報を前記情報作成装置に送信する第三送信手段と、
前記指定情報を前記情報作成装置に送信する第四送信手段と、
を備え、
前記第三送信手段および前記第四送信手段は、複数の前記第一サーバにそれぞれ接続する場合に用いる複数の前記第一識別情報のうちの一つである前記１の第一識別情報と、複数の前記第一識別情報のそれぞれに対応する複数の前記指定情報のうちの一つであり、前記１の第一識別情報に対応する前記１の第二識別情報を指定する１の指定情報とを１つの組とする複数の組のそれぞれについて、前記１の第一識別情報と前記１の指定情報とを前記情報作成装置に送信することを特徴とする情報作成システム。
【請求項１０】
前記情報端末装置と、請求項５または６に記載の前記情報作成装置と、前記第一サーバと、前記第二サーバとを含む情報作成システムであって、
前記第二サーバは、前記情報端末装置から受信する前記第一識別情報と前記第三識別情報と前記個人情報とを対応付けて１つの組とし、複数組を、前記第二サーバが備える第二記憶部に記憶可能な第二記憶手段を備えたことを特徴とする情報作成システム。
【請求項１１】
前記第二サーバは、
前記第三識別情報に基づいて前記第四識別情報を生成する第二生成手段と、
前記第二生成手段が生成した前記第四識別情報を前記情報作成装置に送信する第五送信手段と、
をさらに備え、
前記第二記憶手段は、前記第一識別情報と前記第三識別情報と前記個人情報とに、前記第四識別情報をさらに対応付けて１つの組とし、前記第二記憶部に記憶することを特徴とする請求項１０に記載の情報作成システム。
【発明の詳細な説明】
【技術分野】
【０００１】
本発明は、記憶装置を埋設する記録媒体の表面に画像情報を形成し、記憶装置にデータを記憶することができる情報作成装置および情報作成システムに関する。
【背景技術】
【０００２】
ＩＣチップを埋め込んだチケット用紙を用い、ユーザの好みのデザインを施したチケットの発行を行うシステムが知られている（例えば特許文献１参照）。チケット用紙は予めＩＣチップに固有のＩＤ情報を記憶する。発行元Ｗｅｂサーバは、ユーザによってパーソナルコンピュータに入力された個人情報と、ＩＣチップリーダによって読み取られたチケット用紙のＩＤ情報とを対応付け、チケット情報としてデータベースに記憶する。発行元Ｗｅｂサーバは、ユーザによって選択されるデザインをユーザのプリンタ装置でチケット用紙に印刷し、チケットを発行する。イベント会場において、イベント実施元サーバは、チケットから読み取ったＩＤ情報と、データベースに記憶するチケット情報を参照し、チケットの有効無効を判定して利用者の入場の可否を判定する。
【先行技術文献】
【特許文献】
【０００３】
【特許文献１】特開２００４−１９２４５７号公報
【発明の概要】
【発明が解決しようとする課題】
【０００４】
しかしながら、イベント会場においてチケットの発行を行う場合、発行元Ｗｅｂサーバは、ユーザに個人情報の入力を求めるため、チケットの発行に時間がかかるという問題があった。
【０００５】
本発明は、上記の問題点を解決するためになされたものであり、ユーザの個人情報に基づき、記録媒体の表面に形成する画像情報や記憶装置に記憶するデータを簡単且つ迅速に作成し、記録媒体に記録することができる情報作成装置および情報作成システムを提供することを目的とする。
【課題を解決するための手段】
【０００６】
本発明の第１態様によれば、情報を記憶する第一記憶部、記録媒体の表面に画像を形成する画像形成部、および前記記録媒体に埋設された記憶装置に情報を記憶する書込部を備えた情報作成装置であって、ユーザを識別する第一識別情報を、情報端末装置から受信する第一受信手段と、前記第一記憶部に記憶された第一サーバを示す第二識別情報に基づいて、前記第一受信手段が受信した前記第一識別情報に対応する前記第二識別情報が示す前記第一サーバを特定する特定手段と、前記特定手段が特定した前記第一サーバに対して、前記第一識別情報を送信する第一送信手段と、前記第一識別情報の送信に応じて、前記第一識別情報に対応する前記ユーザの個人情報を前記第一サーバから受信する第二受信手段と、前記第一受信手段が受信した前記個人情報に基づいて、前記個人情報に関連する画像を示す画像データ生成する第一生成手段と、前記第一生成手段が生成した前記画像データに基づいて、前記画像を前記記録媒体の表面に形成する指示を前記画像形成部に送信する画像形成手段と、前記第一識別情報に対応する前記第一サーバ上のＷｅｂサイトに係るアドレスを示す第一アクセス情報を取得する第一取得手段と、前記第一取得手段が取得した前記第一アクセス情報を、前記記録媒体の前記記憶装置に記憶する指示を前記書込部に対して送信する第一記憶手段と、を備えた情報作成装置が提供される。
【０００７】
第１態様に係る情報作成装置は、情報端末装置のユーザの個人情報を、情報端末装置から受信した第一識別情報に基づき、第一サーバから取得した上で、個人情報に関連する画像を記録媒体の表面に形成することができる。すなわち情報作成装置は、個人情報をユーザに入力させる場合にかかる時間を削減することができるので、記録媒体の作成にかかる時間を短縮することができる。また、情報作成装置は、記録媒体に埋設する記憶装置に第一アクセス情報を記憶させることができる。例えば、情報端末装置等は、第一アクセス情報に基づき第一サーバ上のＷｅｂサイトに接続すれば、記録媒体の表面に形成した画像に含まれる情報よりも多くの個人情報を得ることができる。
【０００８】
第１態様の情報作成装置は、前記情報端末装置から、前記第二識別情報を指定する指定情報を受信する第三受信手段をさらに備えてもよい。この場合に、前記特定手段は、前記第三受信手段が受信した前記指定情報に指定される前記第二識別情報に基づいて、前記第一サーバを特定してもよい。情報作成装置は、ユーザの個人情報を保持する第一サーバが複数あっても、指定情報に基づいて、個人情報に関連する画像の生成元となる第一サーバを特定することができる。
【０００９】
第１態様において、前記第一受信手段は、複数の前記第一識別情報を前記情報端末装置から受信してもよい。前記第三受信手段は、複数の前記第一識別情報のそれぞれに対応する複数の前記指定情報を前記情報端末装置から受信してもよい。前記第二受信手段は、前記第一受信手段が受信した複数の前記第一識別情報のうちの１の第一識別情報と、複数の前記特定情報がそれぞれ指定する複数の前記第二識別情報のうち、前記１の第一識別情報に対応する１の第二識別情報とを１つの組とする複数の組のそれぞれについて、複数の前記第一サーバのうち前記１の第一識別情報と前記１の第二識別情報とが対応する第一サーバから前記個人情報を受信してもよい。情報作成装置は、ユーザの個人情報を複数の第一サーバからそれぞれ取得することができる。
【００１０】
第１態様において、前記第一生成手段は、前記第一受信手段が受信した複数の前記個人情報に基づいて１つの画像情報を生成してもよい。前記画像形成手段は、前記第一生成手段が生成した前記１つの画像情報を前記記録媒体の前記表面に形成する指示を前記画像形成部に送信してもよい。前記第一取得手段は、前記１の第一識別情報と前記１の第二識別情報との一組ごとに、複数の前記第一サーバのうち前記１の第一識別情報と前記１の第二識別情報とが対応するそれぞれの第一サーバに応じた前記第一アクセス情報を取得してもよい。前記第一記憶手段は、前記第一取得手段が取得した複数の前記第一アクセス情報を、前記記憶装置に記憶する指示を前記書込部に対して送信してもよい。情報作成装置は、複数の第一サーバからそれぞれ取得したユーザの個人情報に関連する画像を１つの画像にして記録媒体の表面に形成することができる。また、情報作成装置は、複数の第一サーバにそれぞれ対応する複数の第一アクセス情報を、記録媒体の記憶装置に記憶することができる。
【００１１】
第１態様の情報作成装置は、前記記録媒体の前記記憶装置が保持し、前記記憶装置の個々の識別に用いる第三識別情報を取得する第二取得手段と、前記第一識別情報と前記第三識別情報と前記個人情報とを第二サーバに送信する第二送信手段と、をさらに備えてもよい。情報作成装置は、第一識別情報と第三識別情報と個人情報とを第二サーバに送信して、保持させることができる。
【００１２】
第１態様の情報作成装置は、前記第一識別情報と前記第三識別情報と前記個人情報とを対応付けた組を識別する第四識別情報を、前記第二サーバから受信する第四受信手段と、前記第四受信手段が受信した前記第四識別情報に対応する前記第二サーバ上のＷｅｂサイトに係るアドレスを示す第二アクセス情報を取得する第三取得手段と、をさらに備えてもよい。この場合に、前記第一記憶手段は、前記第三取得手段が取得した前記第二アクセス情報を、前記記憶装置に記憶する指示を前記書込部に対して送信してもよい。情報作成装置は、記録媒体の記憶装置に第二アクセス情報を記憶させることで、例えば、情報端末装置等が複数の第一サーバにそれぞれ接続せずとも、情報端末装置等に個人情報を一括して第二サーバから取得させることができる。
【００１３】
本発明の第２態様によれば、前記情報端末装置と、請求項１から６のいずれかに記載の前記情報作成装置と、前記第一サーバとを含む情報作成システムであって、前記情報端末装置は、前記第一識別情報を前記情報作成装置に送信する第三送信手段を備えた情報作成システムが提供される。
【００１４】
第２態様に係る情報作成システムは、情報端末装置が第一識別情報を情報作成装置に送信することができる。よって情報作成装置は、第一識別情報に基づき、ユーザの個人情報を第一サーバから取得することで、個人情報をユーザに入力させる場合にかかる時間を削減し、記録媒体の作成にかかる時間を短縮することができる。
【００１５】
第２態様において、前記情報端末装置は、前記指定情報を前記情報作成装置に送信する第四送信手段をさらに備えてもよい。情報作成システムは、情報端末装置が指定情報を情報作成装置に送信することができる。よって情報作成装置は、ユーザの個人情報を保持する第一サーバが複数あっても、指定情報に基づいて、個人情報に関連する画像の生成元となる第一サーバを特定することができる。
【００１６】
本発明の第３態様によれば、前記情報端末装置と、請求項３または４に記載の前記情報作成装置と、前記第一サーバとを含む情報作成システムであって、前記情報端末装置は、前記第一識別情報を前記情報作成装置に送信する第三送信手段と、前記指定情報を前記情報作成装置に送信する第四送信手段と、を備え、前記第三送信手段および前記第四送信手段は、複数の前記第一サーバにそれぞれ接続する場合に用いる複数の前記第一識別情報のうちの一つである前記１の第一識別情報と、複数の前記第一識別情報のそれぞれに対応する複数の前記指定情報のうちの一つであり、前記１の第一識別情報に対応する前記１の第二識別情報を指定する１の指定情報とを１つの組とする複数の組のそれぞれについて、前記１の第一識別情報と前記１の指定情報とを前記情報作成装置に送信することを特徴とする情報作成システムが提供される。
【００１７】
第３態様に係る情報作成システムは、情報端末装置が、１の第一識別情報と１の指定情報とを１つの組とする複数の組を、情報作成装置に送信することができる。よって情報作成装置は、複数の指定情報に基づいて、個人情報に関連する画像の生成元となる複数の第一サーバをそれぞれ特定することができる。そして情報作成装置は、複数の第一識別情報に基づき、ユーザの個人情報を複数の第一サーバからそれぞれ取得することで、個人情報をユーザに入力させる場合にかかる時間を削減し、記録媒体の作成にかかる時間を短縮することができる。
【００１８】
本発明の第４態様によれば、前記情報端末装置と、請求項５または６に記載の前記情報作成装置と、前記第一サーバと、前記第二サーバとを含む情報作成システムであって、前記第二サーバは、前記情報端末装置から受信する前記第一識別情報と前記第三識別情報と前記個人情報とを対応付けて１つの組とし、複数組を、前記第二サーバが備える第二記憶部に記憶可能な第二記憶手段を備えた情報作成システムが提供される。
【００１９】
第４態様に係る情報作成システムは、第二サーバが、第一識別情報と第三識別情報と個人情報とを対応付けて１つの組とし、複数組を第二記憶部に記憶することができる。よって、例えば、情報端末装置等は、複数の第一サーバにそれぞれ接続せずとも、個人情報を一括して第二サーバから取得することができる。
【００２０】
第４態様において、前記第二サーバは、前記第三識別情報に基づいて前記第四識別情報を生成する第二生成手段と、前記第二生成手段が生成した前記第四識別情報を前記情報作成装置に送信する第五送信手段と、をさらに備えてもよい。この場合に、前記第二記憶手段は、前記第一識別情報と前記第三識別情報と前記個人情報とに、前記第四識別情報をさらに対応付けて１つの組とし、前記第二記憶部に記憶してもよい。情報作成システムは、第二サーバが、第一識別情報と第三識別情報と個人情報とに第四識別情報を対応付けて１つの組とし、複数組を第二記憶部に記憶することができる。例えば、情報端末装置等が、第二サーバから個人情報を一括して取得する場合に、第二サーバは、第三識別情報と第四識別情報との一致の有無に応じて情報端末装置等に個人情報を送信することができ、セキュリティを高めることができる。
【図面の簡単な説明】
【００２１】
【図１】第１実施形態におけるＩＣラベル作成システム１の概略的な構成と、ＩＣラベルプリンタ２およびスマートフォン３の電気的な構成を示す図である。
【図２】ＩＣラベル６について説明するための図である。
【図３】ＮＤＥＦメッセージ８のパケット構造について説明するための図である。
【図４】ＩＣラベル６に印刷するラベルデザインのテンプレートＡ，Ｂの一例を示す図である。
【図５】ＩＣラベルプリンタ２、スマートフォン３およびＳＮＳサーバ４，５がそれぞれ行う処理とデータの流れを説明するシーケンス図である。
【図６】ＩＣラベル６の表面にデザインを印刷した例を示す図である。
【図７】第２実施形態におけるＩＣラベル作成システム１０１の概略的な構成と、ＩＣラベルプリンタ２、スマートフォン３および管理サーバ７の電気的な構成を示す図である。
【図８】ＩＣラベルプリンタ２、スマートフォン３、ＳＮＳサーバ４，５および管理サーバ７がそれぞれ行う処理とデータの流れを説明するシーケンス図である。
【図９】ＩＣラベルプリンタ２、スマートフォン３、ＳＮＳサーバ４，５および管理サーバ７がそれぞれ行う処理とデータの流れを説明するシーケンス図である。
【図１０】管理サーバ７が保持するユーザの個人情報を提供する場合において、スマートフォン３、ＩＣラベル６および管理サーバ７がそれぞれ行う処理とデータの流れを説明するシーケンス図である。
【発明を実施するための形態】
【００２２】
以下、本発明の第１実施形態について、図面を参照して説明する。図１を参照し、ＩＣラベルプリンタ２、スマートフォン３およびＳＮＳサーバ４，５が構成するＩＣラベル作成システム１について説明する。ＩＣラベルプリンタ２は、本発明に係る「情報作成装置」の一例である。スマートフォン３は、本発明に係る「情報端末装置」の一例である。ＳＮＳサーバ４，５は、本発明に係る「第一サーバ」の一例である。
【００２３】
第１実施形態のＩＣラベル作成システム１の概要について簡単に説明する。ＩＣラベル作成システム１は、スマートフォン３のユーザに対し、例えばイベントのチケットを発行する場合に、ＩＣラベルプリンタ２がＩＣラベル６（図２参照）にラベルデザインを印刷してチケットを作成することができるシステムである。ＩＣラベルプリンタ２は、スマートフォン３のユーザが、例えばソーシャル・ネットワーキング・サービス（Social Networking Service, SNS）等の会員制サービスの提供を受ける場合に用いるユーザＩＤをスマートフォン３から取得する。
【００２４】
ＩＣラベルプリンタ２は、ユーザＩＤを用い、該当するＳＮＳサーバ４，５に接続してユーザの個人情報（例えばユーザ名等）やＳＮＳサイトに用いられる画像等を取得し、チケットのラベルデザインを作成する。ＩＣラベルプリンタ２は、作成したラベルデザインをＩＣラベル６の表面に印刷し、ＩＣラベル６が内蔵するＩＣチップ６１（図２参照）にＳＮＳサイトにおけるユーザのＷｅｂベージ等のアドレスを書き込んで記憶させ、チケットを作成する。このチケットは、例えばイベント会場においてユーザ同士の交流に用いることが可能である。例えば、スマートフォン３は、近接通信を利用してチケットのＩＣチップ６１からＳＮＳサイトにおけるユーザのＷｅｂベージのアドレスを取得し、Ｗｅｂページを表示することができる。近接通信としては、例えば、ＮＦＣ（Near-Field Communication）として知られる国際規格ＩＳＯ／ＩＥＣ  １８０９２などが挙げられる。なお、ＩＣラベル作成システム１は、イベントのチケットを作成するシステムに限るものではなく、例えば、クラブ等の会員証、産地や原材料を表示可能な商品管理ラベルなど、様々な用途のラベルやカードの作成にも用いることができるシステムである。第１実施形態では、便宜上、イベントのチケットを作成する場合について説明する。
【００２５】
第２実施形態に係るＩＣラベル作成システム１について説明する。図１に示すように、ＩＣラベル作成システム１は、インターネット等のネットワーク９に接続可能なＩＣラベルプリンタ２、スマートフォン３、ＳＮＳサーバ４，５を含む。ＳＮＳサーバ４，５は、例えば会員制サービスにおいて構築されるグループに属するユーザに対し、ユーザが互いに投稿した投稿文を閲覧可能に公開するなど、社会的ネットワークを構築できるサービスを提供するサーバである。ＳＮＳサーバ４，５は、例えば、ｔｗｉｔｔｅｒ（登録商標）、ｆａｃｅｂｏｏｋ（登録商標）、Ｍｙｓｐａｃｅ（登録商標）などのミニブログサーバである。ＳＮＳサーバ４，５は、耐久性の高いデバイスを組み合わせて構成した公知の構成のワークステーションやＰＣを用いて構築される。
【００２６】
ＳＮＳサーバ４，５は、ネットワーク９を介してスマートフォン３、タブレット端末、ＰＣ、携帯電話等の端末装置（図示略）と接続し、端末装置のユーザが閲覧可能なＷｅｂページを構築するＳＮＳサイトをそれぞれ提供するサーバである。ＳＮＳサーバ４，５は、ＳＮＳサイトにおける会員制サービスの提供を希望するユーザに対し、ユーザＩＤおよびパスワードを発行する処理を行う。スマートフォン３を含む端末装置は、ユーザＩＤとパスワードを用いてＳＮＳサイトにログインし、端末装置のユーザ対して提供されたユーザ固有のＷｅｂページを表示する。端末装置は、ユーザ固有のＷｅｂページにおいて、ユーザによって作成された投稿文を投稿する処理や、ユーザの個人情報を編集する処理を行うことができる。個人情報は、例えば、ＳＮＳサイトにおけるユーザ名、ユーザの写真や好みのイラスト等の画像、ユーザの年齢、性別、職業、出身地、趣味等の情報である。ユーザ固有のＷｅｂページにおいて編集されたユーザの個人情報は、ＳＮＳサーバ４，５の記憶装置（図示略）に保存される。ＳＮＳサーバ４，５は、個人情報の個々の項目について、公開の可否を設定することができる。
【００２７】
スマートフォン３は、公知の構成の多機能携帯電話である。第１実施形態におけるスマートフォン３は、少なくとも、ネットワーク９を介してＳＮＳサーバ４，５に接続し、ＳＮＳサイトのＷｅｂページを表示する機能と、ＮＦＣに準拠するデータの送受信機能を有する携帯型の端末装置である。スマートフォン３は、スマートフォン３の制御を司るＣＰＵ３０を備える。ＣＰＵ３０は、ＲＯＭ３１、ＲＡＭ３２、通信インターフェイス（以下、「通信Ｉ／Ｆ」という。）３３、フラッシュメモリ３４、ディスプレイ３５、タッチパッド３６、およびＮＦＣインターフェイス（以下、「ＮＦＣ  Ｉ／Ｆ」という。）３７と電気的に接続する。ＮＦＣ  Ｉ／Ｆ３７はアンテナ３７Ａと電気的に接続する。ＮＦＣ  Ｉ／Ｆ３７は、アンテナ３７Ａを介して、ＩＣラベルの読み取りや、他のＮＦＣ  Ｉ／Ｆとの通信を行うことができる。
【００２８】
ＲＯＭ３１は、ブートプログラム、ＢＩＯＳ等を記憶する。ＲＡＭ３２は、種々の一時データを記憶する。フラッシュメモリ３４は、ＣＰＵ３０の制御プログラムを記憶する。通信Ｉ／Ｆ３３は、ＷｉＦｉ（登録商標）等の無線ＬＡＮ、または３Ｇ、ＬＴＥ（Long Term Evolution）、４Ｇ等の通信規格による無線通信を行うためのインターフェイスである。スマートフォン３は、アクセスポイント（図示略）を介してネットワーク９に接続し、ＳＮＳサーバ４，５と通信することができる。ディスプレイ３５は、例えば液晶パネル等の表示装置である。タッチパッド３６は、例えば静電容量式の位置検出装置であり、ユーザの指等が触れた位置を検出する。タッチパッド３６はディスプレイ３５と略同じ大きさに形成され、ディスプレイ３５上に重ねて設けられることによってタッチパネルを構成する。ＮＦＣ  Ｉ／Ｆ３７はＲＦＩＤ（Radio Frequency IDentification）のリーダライタであり、ＮＦＣに準拠する無線通信によってデバイス間でデータの送受信を行うインターフェイスである。本実施形態では、例としてＮＦＣの通信モードの一つであるＰ２Ｐ（Pear to Pear）モードを用いることにする。Ｐ２Ｐモードでは、２台のＮＦＣデバイス間で双方向のデータ通信が可能となるので、ＩＣラベルプリンタ２は、スマートフォン３が送信するデータを受信することができる。
【００２９】
ＩＣラベルプリンタ２は、前述したように、ＩＣラベル６（図２参照）の表面にラベルデザインを印刷し、ＩＣチップ６１にユーザのＷｅｂベージ等のアドレスを記憶したチケット等を作成することができる装置である。アドレスは、例えば、ＩＰアドレスやＵＲＬなどを含む。ＩＣラベルプリンタ２は、ＩＣラベルプリンタ２の制御を行うＣＰＵ２０を備える。ＣＰＵ２０は、ＲＯＭ２１、ＲＡＭ２２、通信Ｉ／Ｆ２４、フラッシュメモリ２５、操作部２６、表示部２７、印刷部２８、駆動部２９およびＮＦＣ  Ｉ／Ｆ２３と電気的に接続する。なお、ＩＣラベルプリンタ２の具体的な構成は、例えば特開２００７−２７２３７０号公報などに開示されているように、公知の技術を採用することが可能である。従って、本実施例では、これら構成を簡潔に説明するに留める。
【００３０】
ＲＯＭ２１は、ＣＰＵ２０が実行する各種プログラムを記憶する。ＲＡＭ２２は、種々の一時データを記憶する。通信Ｉ／Ｆ２４は有線または無線による通信を行うためのインターフェイスである。ＩＣラベルプリンタ２は通信Ｉ／Ｆ２４によってネットワーク９に接続し、ＳＮＳサーバ４，５と通信することができる。フラッシュメモリ２５は、種々の設定用データ、後述するラベルテンプレートファイル（図５参照）、各種テーブル等を記憶する。また、フラッシュメモリ２５は、ＩＣラベル６の作成において利用可能なＳＮＳサイトを提供するＳＮＳサーバ４，５の情報を対応付けたサーバ情報テーブルを記憶する。サーバ情報テーブルは、ＳＮＳサーバ４，５を個々に識別するサーバＩＤに、ＳＮＳサイト名、ＳＮＳサーバ４，５のＩＰアドレス、ＳＮＳサイトのＵＲＬ等の情報を対応付ける。また、サーバ情報テーブルは、サーバＩＤに、ＳＮＳサイトのロゴ画像のファイル名、ユーザ固有のＷｅｂページのＵＲＬを生成するための書式、ユーザ固有のＷｅｂページに公開される個人情報の個々の項目名等の情報も対応付ける。
【００３１】
操作部２６は、電源ボタン等、種々の入力ボタン、スイッチを含み、ＩＣラベルプリンタ２の操作者による操作の入力を受け付ける。表示部２７は、例えば液晶画面であり、ＩＣラベルプリンタ２の操作画面を表示する。また表示部２７は、ラベルテンプレートファイルを選択する場合の表示も行う。印刷部２８は、例えば公知のインクジェット方式や熱転写方式による印刷を行う機構であり、ＩＣラベル６の表面にラベルデザインを印刷する。駆動部２９は、ＩＣラベルプリンタ２内でＩＣラベル６の搬送を行う。駆動部２９は、受信した印刷指示に応じてＣＰＵ２０に制御され、ＩＣラベルプリンタ２の内部に収納されたＩＣラベル６を印刷部２８および読み書きアンテナ２３Ａの位置に搬送する。駆動部２９は、例えば、モータと、モータの動力が伝達される搬送ローラ（図示略）などによって構成される。
【００３２】
ＮＦＣ  Ｉ／Ｆ２３はＲＦＩＤのリーダライタであり、ＮＦＣに準拠する無線通信によってデバイス間でデータの送受信を行うインターフェイスである。ＮＦＣ  Ｉ／Ｆ２３は、読み書きアンテナ２３Ａと外向けアンテナ２３Ｂと電気的に接続する。外向けアンテナ２３Ｂは、ＩＣラベルプリンタ２の外側に向いた通信可能領域を備える。ＮＦＣ  Ｉ／Ｆ２３は、外向けアンテナ２３Ｂを介して、ＩＣラベルプリンタ２の外部に存在する他のＮＦＣデバイスに対して、情報を送受信する。また、デザイン作成後のＩＣラベル６がＩＣラベルプリンタ２外部の通信可能領域に配置された場合に、ＩＣラベル６に含まれるＩＣチップ６１に対しても、情報を送受信する。読み書きアンテナ２３Ａは、ＩＣラベルプリンタ２の内部に向いた通信可能領域を備える。読み書きアンテナ２３Ａは、ＩＣラベルプリンタ２内のＩＣラベル６の搬送経路において、ＩＣラベル６に近接して設けられる。ＮＦＣ  Ｉ／Ｆ２３は、読み書きアンテナ２３Ａを介して、印字部２８によって印字されるＩＣラベル６に含まれるＩＣチップ６１に対し、情報を送受信する。
【００３３】
次に、ＩＣラベル６について説明する。図２に示すように、ＩＣラベル６は、略矩形状の紙葉類にＩＣチップ６１とコイル状のアンテナ６２を挟み込んで内蔵した記録媒体である。ＩＣラベル６は、短辺側が他のＩＣラベル６と繋がった細長いテープ状の媒体（図示略）として提供され、例えばテープカセット（図示略）に収納されて、ＩＣラベルプリンタ２に装着される。ＩＣラベルプリンタ２は、テープ媒体への印刷後に、印刷した部分を切断し、ＩＣラベル６として排出する。ＩＣチップ６１は、データの読み書きが可能な記憶部（図示略）と、記憶部に記憶するデータを他のデバイスに送信し、他のデバイスから受信するデータを記憶部に記憶する処理を行う送受信部（図示略）を備える記憶装置である。ＩＣチップ６１の受送信部はアンテナ６２に接続する。アンテナ６２は、スマートフォン３のＮＦＣ  Ｉ／Ｆ３７など、ＲＦＩＤリーダライタから輻射される電磁波によって発生する電磁誘導により生じた電流を用い、ＩＣチップ６１を起動する。なお、ＩＣラベル６の具体的な構成についても、上記同様、例えば特開２００７−２７２３７０号公報に開示されるように、公知の技術を採用することが可能である。
【００３４】
第１実施形態において、ＩＣチップ６１の送受信部は、ＮＦＣデータ交換フォーマット（NFC Data Exchange Format, NDEF）に従うＮＤＥＦメッセージ８（図３参照）を送受信する。ＮＦＣは、ＮＤＥＦによってデータフォーマットが定義された通信形態である。図３に示すように、ＮＤＥＦメッセージ８は、公知の通り、１以上のＮＤＥＦレコード８１を含んで構成される。ＮＤＥＦレコード８１は、ヘッダー部８２とペイロード部８３によって構成される。ヘッダー部８２は、ＮＤＥＦメッセージ８の制御情報やペイロード部８３に格納するデータの長さやタイプ等の情報を含む。
【００３５】
ペイロード部８３は、ＮＤＥＦメッセージ８によって送受信するデータを格納する。後述するが、ＩＣラベルプリンタ２は、スマートフォン３とＮＦＣによる通信を行うことで、ペイロード部８３に格納されたユーザＩＤと、そのユーザＩＤが対応するＳＮＳサーバ４，５を指定する情報（ＳＮＳサイト指定情報）を取得する。ペイロード部８３に格納されるデータのタイプはテキストであるが、第１実施形態では２以上の情報がペイロード部８３に格納されるので、テキストの記述が所定のフォーマットに基づき行われる。所定のフォーマットは、例えば、送信側が、複数のデータ間にカンマ記号や所定の文字列などの制御記号を挿入するなどして連続する１つのデータとしてエンコードし、受信側が、制御記号をターゲットにデコードできるようにするフォーマットである。なお、ＮＤＥＦメッセージ８の詳細な構成については公知であるので説明を省略する。
【００３６】
次に、ＩＣラベル作成システム１においてＩＣラベルプリンタ２がＩＣラベル６にラベルデザインを施したチケットを作成する過程について説明する。チケット作成に先立ち、ＩＣラベルプリンタ２は、操作者によって選択されるラベルテンプレートファイルのデザインを、チケットのラベルデザインとして登録する処理を行う。ラベルテンプレートファイルは、予め、複数種類のファイルがフラッシュメモリ２５に記憶されている。
【００３７】
ラベルテンプレートファイルは、印刷用ラベルデザインに含まれるオブジェクトのレイアウトを示すファイルである。図４に例示するテンプレートＡ，Ｂは、チケット向けに複数用意されたラベルテンプレートファイルのうちの２つである。チケットのテンプレートＡ，Ｂは、それぞれ横長長方形状の画像であり、チケットを発行するイベントのタイトルを表示するタイトル欄１１、イベントの実施日を表示する日付欄１２が所定位置に配置されている。タイトル欄１１および日付欄１２は、操作者によって操作部２６が操作されることで、入力される。また、テンプレートＡ，Ｂは、所定位置に、ＳＮＳサイトのロゴを表示するロゴ枠１３、ユーザＩＤを表示するＩＤ枠１４、ユーザがＳＮＳサイトにアップロードした画像を表示する画像枠１５、ＳＮＳサイトにおけるユーザ名を表示する名前枠１６が配置される。テンプレートＡは、ＩＣラベル６に１つのＳＮＳサイトの情報を印刷する場合に用いられるラベルテンプレートファイルである。テンプレートＡは、ＩＣラベル６に２つのＳＮＳサイトの情報を印刷する場合に用いられるラベルテンプレートファイルである。
【００３８】
ＩＣラベルプリンタ２のＣＰＵ２０は、表示部２７に、ラベルテンプレートファイルを操作者が選択可能に表示する。ＣＰＵ２０は、イベントに応じたラベルテンプレートファイル（例えばテンプレートＢ）が操作者によって選択されたら、ラベルテンプレートファイルが表す画像をチケットのラベルデザインとして登録し、ＲＡＭ２２に記憶する。さらに、ＣＰＵ２０は、操作者によってイベントのタイトルおよび日付が入力されたら、ラベルテンプレートファイルのタイトル欄１１および日付欄１２にタイトルおよび日付を表示した状態の画像を、更新したラベルデザインとして登録し、ＲＡＭ２２に記憶する。なお、ラベルテンプレートファイルは、ＩＣラベルプリンタ２の操作者が、例えばＰＣなどで作成したものを用いてもよい。この場合、ＩＣラベルプリンタ２は、ＵＳＢメモリやＳＤカード（図示略）等の記憶媒体や、ネットワーク９を介したダウンロード等により、ラベルテンプレートファイルをフラッシュメモリ２５に記憶すればよい。また、図示しないが、ＩＣラベルプリンタ２は、上記の記憶媒体に記憶された情報を読み取る読取装置を備えてもよい。
【００３９】
また、チケット作成に先立ち、ＩＣラベルプリンタ２は、ユーザの個人情報のうち、チケットのラベルデザインに含める項目を設定する処理を行う。上記のテンプレートＡ，Ｂは、デフォルトで、画像枠１５、名前枠１６を配置する。画像枠１５に収める画像は、ＳＮＳサイトにおけるユーザ固有のＷｅｂページにユーザがアップロードしたユーザの写真や好みのイラスト等の画像である。名前枠１６に表示する名前は、ＳＮＳサイトにおいてユーザが設定したユーザ名あるいはニックネームである。ＩＣラベルプリンタ２は、個人情報のその他の項目（例えば年齢、性別等）についてもラベルデザインに含めるか否か、操作者の操作に応じて設定することができ、設定した項目に応じた表示枠をラベルデザインに配置する。ＩＣラベルプリンタ２は、ラベルテンプレートファイルが表す画像で、操作者が設定した個人情報の項目の表示枠を含む画像を、チケットのラベルデザインとして登録する。
【００４０】
ＩＣラベル作成システム１におけるチケットの作成は、スマートフォン３、ＩＣラベルプリンタ２、ＳＮＳサーバ４，５が、図５のシーケンス図に沿って各処理を行うことで実施される。まず、スマートフォン３の動作について説明する。スマートフォン３のＣＰＵ３０は、ユーザの操作に応じてチケット発行用のアプリケーションを実行する。ＣＰＵ３０は、ラベルデザインに適用するＳＮＳサイトをユーザに選択させるため、利用可能なＳＮＳサイトとして予め登録されているＳＮＳサイト名（サーバ情報テーブルに記憶されているＳＮＳサイト名）を、ユーザが選択可能にディスプレイ３５に表示する。ＣＰＵ３０は、ユーザによって任意のＳＮＳサイト（例えばＳＮＳサーバ４が提供し、鳥の図柄をロゴとするＳＮＳサイト）が選択されたら（Ｓ１１）、ディスプレイ３５に、選択されたＳＮＳサイトのユーザＩＤをユーザに入力させる入力ボックス（図示略）を表示する。ＣＰＵ３０は、ユーザによってＳＮＳサイトのユーザＩＤが入力されたら（Ｓ１３）、ユーザがラベルデザインへの適用を希望する他のＳＮＳサイトがあるか否かを選択可能な選択画面をディスプレイ３５に表示する。
【００４１】
ＣＰＵ３０は、ユーザの操作に基づき他のＳＮＳサイトを選択する場合（Ｓ１５：ＹＥＳ）、処理をＳ１１に戻し、利用可能な他のＳＮＳサイトをディスプレイ３５に選択可能に表示する。ＣＰＵ３０は、上記同様、ユーザによって他のＳＮＳサイト（例えばＳＮＳサーバ５が提供し、長方形タイル内にサイト名を表示した図柄をロゴとするＳＮＳサイト）の選択とユーザＩＤの入力とがなされたら、処理をＳ１５に進める。ＣＰＵ３０は、ユーザの操作に基づき他のＳＮＳサイトの選択を行わない場合（Ｓ１５：ＮＯ）、処理をＳ１７に進める。
【００４２】
ＣＰＵ３０は、Ｓ１１の処理において選択されたＳＮＳサイトを指定する情報であるＳＮＳサイト指定情報と、Ｓ１３の処理において入力されたユーザＩＤを１組のデータとする。ＣＰＵ３０は、ＳＮＳサイト指定情報とユーザＩＤからなる１組または複数組のデータを、所定のフォーマットで１つのテキストデータとして作成する。ＣＰＵ３０は、作成したテキストデータをペイロード部８３に格納したＮＤＥＦメッセージ８を生成する。ＣＰＵ３０は、ユーザによってスマートフォン３がＮＦＣによるＩＣラベルプリンタ２との無線通信が可能な距離に近づけられた場合に、ＩＣラベルプリンタ２とのネゴシエーションを図り接続を試みる。ＣＰＵ３０は、ＮＦＣによるＩＣラベルプリンタ２との接続が確立したら、ＩＣラベルプリンタ２にＮＤＥＦメッセージ８を送信する（Ｓ１７）。ＣＰＵ３０は、ＮＤＥＦメッセージ８を送信したら、スマートフォン３のユーザによる操作の入力待ちや諸処理の実行または処理待ちの状態に移行する。
【００４３】
次に、ＩＣラベルプリンタ２の動作について説明する。ＩＣラベルプリンタ２のＣＰＵ２０は、電源投入後に行う初期化処理（図示略）が終了すると、ＮＦＣ  Ｉ／Ｆ２３から外向けアンテナ２３Ｂを通して電磁波を輻射し、ＮＦＣによる無線通信の開始を待機する状態に移行する。ＣＰＵ２０は、スマートフォン３がＮＦＣによる無線通信が可能な距離に近づけられた場合に、ＮＦＣのＰ２Ｐモードを用いてスマートフォン３とのネゴシエーションを図り接続を試みる。ＣＰＵ２０はスマートフォン３との接続が確立したら、スマートフォン３のＣＰＵ３０が送信するＮＤＥＦメッセージ８を受信する（Ｓ１９）。
【００４４】
ＣＰＵ２０は、ＮＤＥＦメッセージ８のペイロード部８３に格納されたテキストデータを所定のフォーマットに基づいて解析し、ＳＮＳサイト指定情報とユーザＩＤからなる１組または複数組のデータを取得する。ＣＰＵ２０は、取得したデータの１組ごとに、フラッシュメモリ２５に記憶するサーバ情報テーブルから、ＳＮＳサイト指定情報によって指定されるＳＮＳサイトを提供するＳＮＳサーバのサーバＩＤを取得する。ＣＰＵ２０は、取得したサーバＩＤと、サーバＩＤに対応するユーザＩＤとをＲＡＭ２２に記憶する。
【００４５】
ＣＰＵ２０は、ＲＡＭ２２に記憶したサーバＩＤの１つが示すＳＮＳサーバ（例えばＳＮＳサーバ４）を特定し、特定したＳＮＳサーバ４からチケットのラベルデザインに必要な情報を取得するリクエストを作成する（Ｓ３１）。具体的に、ＣＰＵ２０は、サーバ情報テーブルからサーバＩＤに対応するＳＮＳサーバ４を特定し、ＳＮＳサーバ４が提供するＳＮＳサイトのＵＲＬを読み込む。ＣＰＵ２０は、ＳＮＳサーバ４のＵＲＬ宛に、ＳＮＳサイトのロゴ画像を取得するリクエストを作成する。さらにＣＰＵ２０は、ユーザＩＤを用い、ユーザ固有のＷｅｂページに公開される個人情報のうち、チケットのラベルデザインに含める項目として予め設定した項目の情報を取得するためのリクエストを作成する。第１実施形態では、前述したように、ＣＰＵ２０は、ラベルデザインのテンプレートＢの画像枠１５および名前枠１６に表示する画像および名前を取得するリクエストを作成する。ＣＰＵ２０は、作成したリクエストを、ネットワーク９を介してＳＮＳサーバ４に送信する（Ｓ３３）。
【００４６】
公知のように、ＳＮＳサーバ４，５はそれぞれＳＮＳサイトを提供し、ネットワーク９を介して接続する端末装置から受信するリクエストに応じたレスポンスを端末装置に送信する。ＳＮＳサーバ４は、ＩＣラベルプリンタ２のＣＰＵ２０がネットワーク９を介してＳＮＳサーバ４の提供するＳＮＳサイトのＵＲＬ宛に送信した上記のリクエストを受信する（Ｓ３５）。ＳＮＳサーバ４は、受信したリクエストに基づき、ＳＮＳサイトのロゴ画像（例えば鳥の図柄）と、ユーザ固有のＷｅｂページに公開するユーザの画像および名前の情報を、レスポンスとして、ＩＣラベルプリンタ２にネットワーク９を介して送信する（Ｓ３７）。
【００４７】
ＩＣラベルプリンタ２のＣＰＵ２０は、ＳＮＳサーバ４がネットワーク９を介してＩＣラベルプリンタ２に送信した上記のレスポンスを受信する（Ｓ４３）。ＣＰＵ２０は、レスポンスとして受信したＳＮＳサーバ４のＳＮＳサイトのロゴ画像とユーザの画像および名前の情報を、サーバＩＤに対応付けて、ＲＡＭ２２に記憶する。ＣＰＵ２０は、ＲＡＭ２２に記憶するサーバＩＤのうち、ＳＮＳサイトのロゴ画像とユーザの画像および名前の情報が未取得のＳＮＳサーバに対応するサーバＩＤがあるか否か判断する（Ｓ４５）。ＣＰＵ２０は、ＳＮＳサイトからの情報が未取得のサーバＩＤがあれば（Ｓ４５：ＹＥＳ）、処理をＳ３１に戻す。ＣＰＵ２０は、上記同様、未取得のサーバＩＤが示すＳＮＳサーバ（例えばＳＮＳサーバ５）から、チケットのラベルデザインに必要な情報を取得するリクエストを作成し（Ｓ３１）、ＳＮＳサーバ５に対して送信する（Ｓ３３）。
【００４８】
ＳＮＳサーバ５は、ＳＮＳサーバ４と同様に、ＩＣラベルプリンタ２のＣＰＵ２０がネットワーク９を介して送信した上記のリクエストを受信したら（Ｓ３９）、リクエストに応じたレスポンスをＩＣラベルプリンタ２に送信する（Ｓ４１）。例えば、ＳＮＳサーバ５は、ＳＮＳサイトのロゴ画像（例えば長方形タイル内にサイト名を表示した図柄）と、ユーザ固有のＷｅｂページに公開するユーザの画像および名前の情報をレスポンスとしてＩＣラベルプリンタ２に送信する。
【００４９】
ＩＣラベルプリンタ２のＣＰＵ２０は、ＳＮＳサーバ５から上記のレスポンスを受信したら（Ｓ４３）、ＳＮＳサーバ５のＳＮＳサイトのロゴ画像とユーザの画像および名前の情報を、サーバＩＤに対応付けて、ＲＡＭ２２に記憶する。ＣＰＵ２０は、ＳＮＳサイトからの情報が未取得のサーバＩＤがあるか否か判断し、なければ（Ｓ４５：ＮＯ）、処理をＳ４７に進める。
【００５０】
ＣＰＵ２０は、チケットのラベルデザインを作成する（Ｓ４７）。ＣＰＵ２０は、Ｓ１９の処理においてＳＮＳサーバ４のサーバＩＤに対応付けてＲＡＭ２２に記憶したユーザＩＤを、予め登録されＲＡＭ２２に記憶するラベルデザインの一方のＩＤ枠１４に配置する（図６参照）。ＣＰＵ２０は、Ｓ４３の処理においてＳＮＳサーバ４のサーバＩＤに対応付けてＲＡＭ２２に記憶した、ＳＮＳサーバ４のＳＮＳサイトのロゴ画像、ユーザの画像および名前の情報を、ラベルデザインの一方のロゴ枠１３、画像枠１５および名前枠１６にそれぞれ配置する。ＣＰＵ２０は、同様に、ＳＮＳサーバ５のサーバＩＤに対応付けたユーザＩＤ、ロゴ画像、ユーザの画像および名前の情報を、ラベルデザインの他方のＩＤ枠１４、ロゴ枠１３、画像枠１５および名前枠１６にそれぞれ配置する（図６参照）。
【００５１】
ＣＰＵ２０は、サーバ情報テーブルからＳＮＳサーバ４のユーザ固有のＷｅｂページのＵＲＬを生成するための書式を読み込み、ユーザＩＤを用い、ＳＮＳサーバ４におけるユーザ固有のＷｅｂページのアドレスを生成する（Ｓ４９）。本実施形態では、アドレスの一例として、ＵＲＬが生成されるものとする。ＣＰＵ２０は、ＲＡＭ２２に記憶するサーバＩＤのうち、ユーザ固有のＷｅｂページのＵＲＬが未作成のＳＮＳサイトを提供するＳＮＳサーバに対応するサーバＩＤがあるか否か判断する（Ｓ５１）。ＣＰＵ２０は、ユーザ固有のＷｅｂページのＵＲＬが未作成のサーバＩＤがあれば（Ｓ５１：ＹＥＳ）、処理をＳ４９に戻す。ＣＰＵ２０は、上記同様、サーバ情報テーブルからＳＮＳサーバ５のユーザ固有のＷｅｂページのＵＲＬを生成するための書式を読み込み、ユーザＩＤを用い、ＳＮＳサーバ５におけるユーザ固有のＷｅｂページのＵＲＬを生成する（Ｓ４９）。ＣＰＵ２０は、ユーザ固有のＷｅｂページのＵＲＬが未作成のサーバＩＤがあるか否か判断し、なければ（Ｓ５１：ＮＯ）、処理をＳ５３に進める。
【００５２】
Ｓ５３の処理において、ＣＰＵ２０は、駆動部２９に対して、ＩＣラベル６を印刷部２８および読み書きアンテナ２３Ａの位置に搬送する指示を送信する。ＣＰＵ２０は、ＮＦＣ  Ｉ／Ｆ２３にＳ４９の処理において作成したユーザ固有のＷｅｂページのＵＲＬのデータを送信する。ＮＦＣ  Ｉ／Ｆ２３は、読み書きアンテナ２３Ａを介した無線通信によって、駆動部２９によって搬送されたＩＣラベル６のＩＣチップ６１に接続し、ユーザ固有のＷｅｂページのＵＲＬを書き込んで記憶させる（Ｓ５３）。ＣＰＵ２０は、印刷部２８に、Ｓ４７の処理において作成したラベルデザインのデータを送信する。印刷部２８は、駆動部２９によって搬送されたＩＣラベル６の表面にラベルデザインを印刷する。ＣＰＵ２０は、駆動部２９に指示を送信し、ＩＣラベルプリンタ２から排出する（Ｓ５５）。
【００５３】
図６に示すように、ＩＣラベル６は、表面の上部に、イベントのタイトル１１Ａおよび日付１２Ａが印刷される。ＩＣラベル６は、表面の左部に、一方のＳＮＳサーバ４が提供するＳＮＳサイトにおいてサービスを受けるユーザの個人情報を含むユーザ情報４Ａが印刷される。ユーザ情報４Ａとして、ＩＣラベル６には、ＳＮＳサーバ４が提供するＳＮＳサイトを示す、鳥の図柄のロゴ画像１３Ａと、そのＳＮＳサイトにおけるユーザＩＤ１４Ａが印刷される。また、ユーザ情報４Ａとして、ＩＣラベル６には、ＳＮＳサーバ４のＳＮＳサイトにおいてユーザが公開するユーザの画像１５Ａとユーザ名１６Ａが印刷される。ＩＣラベル６は、表面の右部に、他方のＳＮＳサーバ５が提供するＳＮＳサイトにおいてサービスを受けるユーザの個人情報を含むユーザ情報５Ａが印刷される。ユーザ情報５Ａとして、ＩＣラベル６には、ＳＮＳサーバ５が提供するＳＮＳサイトを示す、長方形タイル内にサイト名を表示した図柄のロゴ画像１３Ｂと、そのＳＮＳサイトにおけるユーザＩＤ１４Ｂが印刷される。また、ユーザ情報５Ａとして、ＩＣラベル６には、ＳＮＳサーバ５のＳＮＳサイトにおいてユーザが公開するユーザの画像１５Ｂとユーザ名１６Ｂが印刷される。
【００５４】
このように、ＩＣラベルプリンタ２は、印刷部２８がＩＣラベル６の表面にラベルデザインを印刷し、ＮＦＣ  Ｉ／Ｆ２３がＩＣチップ６１にユーザ固有のＷｅｂページのＵＲＬを記憶させることによって、イベントのチケットを作成する。作成したチケットは、ユーザがイベント会場においてユーザ同士の交流に用いる。ユーザは、スマートフォン３をチケットに近づけると、ＮＦＣによる無線通信によって取得されるＵＲＬに基づき、ＳＮＳサイトにおけるユーザ固有のＷｅｂベージがディスプレイ３５に表示されて、チケットに表示する情報よりも多くのユーザの個人情報を提供することができる。
【００５５】
次に、本発明の第２実施形態について説明する。図７に示すように、第２実施形態のＩＣラベル作成システム１０１は、ＩＣラベルプリンタ２、スマートフォン３、ＳＮＳサーバ４，５および管理サーバ７が構成する。ＩＣラベルプリンタ２、スマートフォン３およびＳＮＳサーバ４，５の構成は第１実施形態と同様であるので説明を省略する。なお、管理サーバ７は、本発明に係る「第二サーバ」の一例である。
【００５６】
第２実施形態のＩＣラベル作成システム１０１の概要について簡単に説明する。ＩＣラベル作成システム１０１は、第１実施形態のＩＣラベル作成システム１に管理サーバ７の構成を加えることによって、スマートフォン３のユーザを含み、イベントに参加する参加者の情報管理を行えるようにしたシステムである。ＩＣラベルプリンタ２は、スマートフォン３のユーザがＳＮＳ等の会員制サービスの提供を受ける場合に用いるユーザＩＤをスマートフォン３から取得する。ＩＣラベルプリンタ２は管理サーバ７に接続し、管理サーバ７がイベントの参加者に対して発行する参加者ＩＤを取得する。ＩＣラベルプリンタ２は、ユーザＩＤを用い、該当するＳＮＳサーバ４，５に接続し、ユーザの個人情報やＳＮＳサイトに用いられる画像等を取得して、チケットのラベルデザインを作成する。
【００５７】
ＩＣラベルプリンタ２は、作成したラベルデザインをＩＣラベル６の表面に印刷する。ＩＣラベルプリンタ２は、ＩＣラベル６のＩＣチップ６１（図２参照）に、ＳＮＳサイトにおけるユーザ固有のＷｅｂベージのＵＲＬと参加者ＩＤを記憶させ、チケットを作成する。ＩＣラベルプリンタ２は、管理サーバ７に、発行したチケットのＩＣチップ６１が保持する固有のタグＩＤ、ユーザの個人情報、参加者ＩＤを送信する。管理サーバ７は、参加者ＩＤに固有のタグＩＤとユーザの個人情報を対応付けて記憶する。管理サーバ７がイベントの参加者の個人情報を保持することによって、ＩＣラベル作成システム１０１は、ＳＮＳサイトに依存しない各種サービスを提供することが可能となる。例えば、複数のイベントにおいて管理サーバ７による個人情報の管理を行えば、ＩＣラベル作成システム１０１は、異なるイベント間でユーザ同士の交流記録を提供することができる。以下に説明する第２実施形態は、便宜上、第１実施形態同様に、イベントのチケットを作成する場合について説明する。
【００５８】
第２実施形態に係るＩＣラベル作成システム１０１について説明する。図７に示すように、ＩＣラベル作成システム１０１は、インターネット等のネットワーク９に接続可能なＩＣラベルプリンタ２、スマートフォン３、ＳＮＳサーバ４，５、管理サーバ７を含む。ＩＣラベルプリンタ２、スマートフォン３およびＳＮＳサーバ４，５については、第１実施形態と同様の構成であるので説明を省略する。
【００５９】
管理サーバ７は、公知の構成のＰＣやワークステーションを用いて構築され、管理サーバ７の制御を司るＣＰＵ７０を備える。ＣＰＵ７０はチップセット７４に接続し、チップセット７４を介してＲＯＭ７１、ＲＡＭ７２、および表示制御部７３と電気的に接続する。チップセット７４はチップセット７５と接続する。ＣＰＵ７０は、チップセット７５を介し、入力部７６、ハードディスクドライブ（ＨＤＤ）７７、外部接続Ｉ／Ｆ７８、および通信Ｉ／Ｆ７９と電気的に接続する。
【００６０】
チップセット７４は、ＣＰＵ７０と、ＲＯＭ７１、ＲＡＭ７２、および表示制御部７３との間でデータの送受信を管理する一連の回路群である。ＲＯＭ７１は、ブートプログラム、ＢＩＯＳ等を記憶する。ＲＡＭ７２は、種々の一時データを記憶する。表示制御部７３は、モニタ（図示略）への画像の表示を制御する。チップセット７５は、ＣＰＵ７０と、入力部７６、ＨＤＤ７７、外部接続Ｉ／Ｆ７８、および通信Ｉ／Ｆ７９との間でデータの送受信を管理する一連の回路群である。入力部７６は、キーボード、マウス等、管理サーバ７に対する操作の入力を行う装置である。ＨＤＤ７７は、基本ソフト（Operating System, OS）、管理サーバ７をサーバとして機能させるためのソフトウェア、その他各種アプリケーション、データ等を記憶する。外部接続Ｉ／Ｆ７８は、データベースを構築する記憶装置８０に接続するインターフェイスである。記憶装置８０は、ＩＣラベルプリンタ２から受信するチケットのＩＣチップ６１に固有のタグＩＤと、ユーザの個人情報を、ＣＰＵ７０が発行する参加者ＩＤに対応付けて、データベース化して記憶する。通信Ｉ／Ｆ７９は、有線通信を行うためのインターフェイスである。管理サーバ７はネットワーク９に接続し、ＩＣラベルプリンタ２と通信することができる。
【００６１】
次に、ＩＣラベル作成システム１０１においてＩＣラベルプリンタ２がＩＣラベル６にラベルデザインを施したチケットを作成する過程について説明する。なお、ＲＡＭ２２は、第１実施形態と同様に、チケットのラベルデザインとしてラベルテンプレートファイル（テンプレートＢ）が登録され、タイトル欄１１および日付欄１２にタイトルおよび日付を表示した状態の画像を記憶するものとする。また、ＩＣラベルプリンタ２は、チケットのラベルデザインに含める項目として、ロゴ枠１３、ＩＤ枠１４に加え、画像枠１５、名前枠１６が設定されている。また、ＩＣラベル作成システム１０１においてＩＣラベルプリンタ２はネットワーク９を介して管理サーバ７と接続するが、ＩＣラベルプリンタ２において、管理サーバ７のＩＰアドレスは予め設定され、フラッシュメモリ２５に記憶されている。
【００６２】
第２実施形態に係るＩＣラベル作成システム１０１におけるチケットの作成は、スマートフォン３、ＩＣラベルプリンタ２、ＳＮＳサーバ４，５、および管理サーバ７が、図８，図９のシーケンス図に沿って各処理を行うことで実施される。なお、スマートフォン３、ＩＣラベルプリンタ２、およびＳＮＳサーバ４，５が行う処理のうち、第１実施形態と同様の処理については図５のシーケンス図と同じステップ番号で示している。以下の説明において、第１実施形態と同様の処理については、説明を省略または簡略化して行う。
【００６３】
スマートフォン３のＣＰＵ３０は、ユーザの操作に応じてチケット発行用のアプリケーションを実行する。スマートフォン３のＣＰＵ３０は、Ｓ１１〜Ｓ１５の処理を実行し、ＳＮＳサイト指定情報とユーザＩＤからなる１組または複数組のデータを、所定のフォーマットで１つのテキストデータとして作成する（Ｓ１１，Ｓ１３，Ｓ１５）。ＣＰＵ３０は、ＮＦＣによるＩＣラベルプリンタ２との接続が確立したら、ＩＣラベルプリンタ２に、上記テキストデータをペイロード部８３に格納したＮＤＥＦメッセージ８を送信し（Ｓ１７）、処理待ちの状態に移行する。
【００６４】
ＩＣラベルプリンタ２のＣＰＵ２０は、ＮＦＣによるスマートフォン３との接続が確立したら、スマートフォン３のＣＰＵ３０が送信するＮＤＥＦメッセージ８を受信する（Ｓ１９）。ＣＰＵ２０は、ＮＤＥＦメッセージ８が含む上記のテキストデータに基づき、ＳＮＳサイト指定情報とユーザＩＤからなる１組または複数組のデータを取得する。ＣＰＵ２０は、フラッシュメモリ２５に記憶するサーバ情報テーブルに基づき、取得したデータの１組ごとにサーバＩＤを取得し、取得したサーバＩＤと、サーバＩＤに対応するユーザＩＤとをＲＡＭ２２に記憶する。ＣＰＵ２０は、管理サーバ７に対して参加者ＩＤの発行を求めるリクエストを作成する。ＣＰＵ２０は、ネットワーク９を介して管理サーバ７に接続し、作成したリクエストを送信する（Ｓ２２）。
【００６５】
管理サーバ７のＣＰＵ７０は、ＩＣラベルプリンタ２から上記のリクエストを受信したら（Ｓ２４）、記憶装置８０に構築するデータベースに予め用意したテーブルに、新規のレコードを作成する。ＣＰＵ７０は、所定の番号付け規則に従って、参加者ＩＤを新規に発行する（Ｓ２６）。ＣＰＵ７０は、レコードに参加者ＩＤのフィールドを設け、参加者ＩＤをデータとして記憶する。ＣＰＵ７０は、発行した参加者ＩＤをレスポンスとして、ＩＣラベルプリンタ２にネットワーク９を介して送信する（Ｓ２８）。
【００６６】
ＩＣラベルプリンタ２のＣＰＵ２０は、管理サーバ７がネットワーク９を介してＩＣラベルプリンタ２に送信した上記のレスポンスを受信する（Ｓ３０）。ＣＰＵ２０は、レスポンスとして受信した参加者ＩＤをＲＡＭ２２に記憶する。
【００６７】
次に、ＣＰＵ２０は、Ｓ３１〜Ｓ４５の処理を実行する。ＣＰＵ２０は、Ｓ１９の処理においてＲＡＭ２２に記憶した１つまたは複数のサーバＩＤが示すＳＮＳサーバ４，５を特定し、特定したＳＮＳサーバ４，５から、チケットのラベルデザインに必要な情報を取得する（Ｓ３１，Ｓ３３，Ｓ４３，Ｓ４５）。ＳＮＳサーバ４，５において、ＩＣラベルプリンタ２からリクエストを受信し（Ｓ３５、Ｓ３９）、ＳＮＳサイトのロゴ画像とユーザの画像および名前の情報を含むレスポンスを送信する処理（Ｓ３７、Ｓ４１）は、第１実施形態と同様である。
【００６８】
ＣＰＵ２０は、第１実施形態と同様に、チケットのラベルデザインを作成し（Ｓ４７）、さらに、ＳＮＳサーバ４，５におけるユーザ固有のＷｅｂページのＵＲＬを生成する（Ｓ４９，Ｓ５１）。Ｓ５２において、ＣＰＵ２０は、駆動部２９に対して、ＩＣラベル６を印刷部２８および読み書きアンテナ２３Ａの位置に搬送する指示を送信する。ＣＰＵ２０は、ＮＦＣ  Ｉ／Ｆ２３に、ＩＣラベル６のＩＣチップ６１が保持する固有のタグＩＤを読み取る指示を送信する。ＣＰＵ２０は、ＮＦＣ  Ｉ／Ｆ２３が読み書きアンテナ２３Ａを介して読み取ったタグＩＤを、ＲＡＭ２２に記憶する（Ｓ５２）。ＣＰＵ２０は、ＲＡＭ２２に記憶する参加者ＩＤをＮＦＣ  Ｉ／Ｆ２３に送信し、ＩＣラベル６のＩＣチップ６１に記憶させる（Ｓ５４）。なお、ＣＰＵ２０は、第１実施形態と同様に、Ｓ４９の処理において生成したユーザ固有のＷｅｂページのＵＲＬも、ＩＣチップ６１に記憶させてもよい。ＣＰＵ２０は、上記作成したラベルデザインを印刷部２８に送信し、ＩＣラベル６の表面に印刷させる（Ｓ５５）。ＣＰＵ２０は、駆動部２９に指示を送信し、完成したチケットをＩＣラベルプリンタ２から排出する。ＣＰＵ２０は、ネットワーク９を介して管理サーバ７に接続する。ＣＰＵ２０は、ＲＡＭ２２に記憶する参加者ＩＤ、ユーザＩＤ、タグＩＤおよびユーザの個人情報を、管理サーバ７に送信する（Ｓ５６）。ＣＰＵ２０は、処理待ちの状態に移行する。
【００６９】
管理サーバ７のＣＰＵ７０は、ＩＣラベルプリンタ２から参加者ＩＤ、ユーザＩＤ、タグＩＤおよびユーザの個人情報を受信したら（Ｓ５８）、記憶装置８０のデータベースに接続する。ＣＰＵ７０は、データベースの上記テーブルから参加者ＩＤが一致するレコードを検索する。ＣＰＵ７０は、検索したレコードにおいて、タグＩＤ、ユーザＩＤおよびユーザの個人情報の各フィールドに、ＩＣラベルプリンタ２から受信したタグＩＤ、ユーザＩＤおよびユーザの個人情報をデータとして記憶する（Ｓ６０）。
【００７０】
このように、管理サーバ７は、ユーザの個人情報を、参加者ＩＤとタグＩＤに対応付けて、記憶装置８０のデータベースに記憶する。例えば、スマートフォン３のＣＰＵ３０は、ＩＣラベルプリンタ２によって上記同様にチケットが作成された他の参加者の個人情報を管理サーバ７から取得するため、以下のように動作する。図１０に示すように、スマートフォン３のＣＰＵ３０は、ユーザの操作に応じて個人情報表示用のアプリケーションを実行する。ＣＰＵ３０は、ＮＦＣ  Ｉ／Ｆ３７に接続されるアンテナ３７Ａから電磁波を輻射し、ＮＦＣによる無線通信の開始を待機する状態に移行する（Ｓ７１）。他の参加者のチケットにスマートフォン３が近づけられ、ＩＣラベル６のＩＣチップ６１が電磁誘導によって生じた電流で起動されると（Ｓ７３）、ＩＣチップ６１は、アンテナ６２を介して、スマートフォン３のＮＦＣ  Ｉ／Ｆ３７と接続する。ＩＣチップ６１は、記憶部（図示略）に記憶する参加者ＩＤと、ＩＣチップ６１が保持する固有のタグＩＤを、スマートフォン３に送信する（Ｓ７５）。
【００７１】
スマートフォン３のＣＰＵ３０は、ＩＣラベル６から参加者ＩＤとタグＩＤを受信したら（Ｓ７７）、管理サーバ７に対し、参加者ＩＤとタグＩＤを報せ、他の参加者の個人情報を取得するリクエストを作成する。ＣＰＵ３０は、上記の個人情報表示用のアプリケーションのインストール時（あるいは後からの設定によって）にフラッシュメモリ２５に記憶された、管理サーバ７のＵＲＬを読み込み、作成したリクエストを管理サーバ７に送信する（Ｓ７９）。
【００７２】
管理サーバ７のＣＰＵ７０は、スマートフォン３からリクエストを受信したら（Ｓ８１）、記憶装置８０のデータベースに接続する。ＣＰＵ７０は、データベースのテーブルから参加者ＩＤおよびタグＩＤが一致するレコードを検索する。参加者ＩＤおよびタグＩＤが一致するレコードが検索できた場合（Ｓ８３：ＹＥＳ）、ＣＰＵ７０は、テーブルから他の参加者の個人情報をＲＡＭ７２に読み込む（Ｓ８５）。ＣＰＵ７０は、他の参加者の個人情報を含むレスポンスを作成し、作成したレスポンスをスマートフォン３に対して送信する（Ｓ８７）。なお、Ｓ８３の処理において、参加者ＩＤおよびタグＩＤが一致するレコードが検索できなかった場合（Ｓ８３：ＮＯ）、ＣＰＵ７０は、処理をＳ８７に進め、他の参加者の個人情報を含まないレスポンスをスマートフォン３に対して送信する（Ｓ８７）。
【００７３】
スマートフォン３のＣＰＵ３０は、管理サーバ７からレスポンスを受信したら（Ｓ８９）、レスポンスに含まれる他の参加者の個人情報をディスプレイ３５に表示する（Ｓ９１）。レスポンスが他の参加者の個人情報を含まない場合、ＣＰＵ３０は、例えば「参加者ＩＤとタグＩＤが一致しません。」等のメッセージをディスプレイ３５に表示する。ＣＰＵ３０は処理待ちの状態に移行する。
【００７４】
以上のように、管理サーバ７は、記憶装置８０に構築するデータベースに、ＩＣラベルプリンタ２において作成されたチケットの発行対象であるユーザあるいは他の参加者の個人情報を、参加者ＩＤおよびタグＩＤに対応付けて記憶する。情報端末装置から受けたリクエストに含まれる参加者ＩＤとタグＩＤとが対応付けられていない組み合わせであった場合、管理サーバ７のＣＰＵ７０は、ユーザあるいは他の参加者の個人情報を送信しない。ゆえに、管理サーバ７は、個人情報を取得に対するセキュリティを高めることができる。
【００７５】
また、管理サーバ７は、例えば、イベントごとにデータベースにテーブルを設ければ、ユーザＩＤをキーにテーブル同士を関連付けることができる。ＩＣラベル作成システム１０１は、例えば、管理サーバ７のデータベースを利用することのできるアプリケーションがスマートフォン３等に提供された場合、ユーザがイベント会場においてユーザ同士の交流を図る手助けを行うことができる。この場合、ＩＣラベル作成システム１０１は、例えば、１のイベントに参加した１のユーザと２のユーザとが２のイベントにも参加した場合、１のユーザと２のユーザに、互いが以前に会ったことがあることを報せる情報を提供することが可能である。
【００７６】
以上説明したように、ＩＣラベルプリンタ２は、スマートフォン３のユーザの個人情報を、スマートフォン３から受信したユーザＩＤに基づき、ＳＮＳサーバ４，５から取得した上で、個人情報を含むラベルデザインをＩＣラベル６の表面に印刷することができる。すなわちＩＣラベルプリンタ２は、個人情報をユーザに入力させる場合にかかる時間を削減することができるので、チケットの作成にかかる時間を短縮することができる。また、ＩＣラベルプリンタ２は、ＩＣラベル６に埋設するＩＣチップ６１の記憶部にＳＮＳサイトにおけるユーザ固有のＷｅｂページのアドレスを記憶させることができる。例えば、スマートフォン３等は、ＳＮＳサイトにおけるユーザ固有のＷｅｂページのアドレスに基づきＳＮＳサーバ４，５上のＳＮＳサイトに接続すれば、ＩＣラベル６の表面に形成したラベルデザインに含まれる情報よりも多くの個人情報を得ることができる。
【００７７】
また、ＩＣラベルプリンタ２は、ユーザの個人情報を保持するＳＮＳサーバ４，５が複数あっても、ＳＮＳサイト指定情報に基づいて、個人情報を含むラベルデザインの生成元となるＳＮＳサーバ４，５を特定することができる。また、ＩＣラベルプリンタ２は、ユーザの個人情報を複数のＳＮＳサーバ４，５からそれぞれ取得することができる。また、ＩＣラベルプリンタ２は、複数のＳＮＳサーバ４，５からそれぞれ取得したユーザの個人情報を含む１つのラベルデザインをＩＣラベル６の表面に形成することができる。また、ＩＣラベルプリンタ２は、複数のＳＮＳサーバ４，５にそれぞれ対応する複数のユーザ固有のＷｅｂページのアドレスを、ＩＣラベル６のＩＣチップ６１の記憶部に記憶することができる。
【００７８】
また、ＩＣラベルプリンタ２は、ユーザＩＤとタグＩＤと個人情報とを管理サーバ７に送信して、保持させることができる。また、ＩＣラベルプリンタ２は、ＩＣラベル６のＩＣチップ６１の記憶部に第二アクセス情報を記憶させることで、例えば、スマートフォン３等が複数のＳＮＳサーバ４，５にそれぞれ接続せずとも、スマートフォン３等に個人情報を一括して管理サーバ７から取得させることができる。
【００７９】
ＩＣラベル作成システム１，１０１は、スマートフォン３がユーザＩＤをＩＣラベルプリンタ２に送信することができる。よってＩＣラベルプリンタ２は、ユーザＩＤに基づき、ユーザの個人情報をＳＮＳサーバ４，５から取得することで、個人情報をユーザに入力させる場合にかかる時間を削減し、ＩＣラベル６の作成にかかる時間を短縮することができる。また、ＩＣラベル作成システム１，１０１は、スマートフォン３がＳＮＳサイト指定情報をＩＣラベルプリンタ２に送信することができる。よってＩＣラベルプリンタ２は、ユーザの個人情報を保持するＳＮＳサーバ４，５が複数あっても、ＳＮＳサイト指定情報に基づいて、個人情報を含むラベルデザインの生成元となるＳＮＳサーバ４，５を特定することができる。
【００８０】
ＩＣラベル作成システム１，１０１は、スマートフォン３が、１のユーザＩＤと１のＳＮＳサイト指定情報とを１つの組とする複数の組を、ＩＣラベルプリンタ２に送信することができる。よってＩＣラベルプリンタ２は、複数のＳＮＳサイト指定情報に基づいて、個人情報を含むラベルデザインの生成元となる複数のＳＮＳサーバ４，５をそれぞれ特定することができる。そしてＩＣラベルプリンタ２は、複数のユーザＩＤに基づき、ユーザの個人情報を複数のＳＮＳサーバ４，５からそれぞれ取得することで、個人情報をユーザに入力させる場合にかかる時間を削減し、ＩＣラベル６の作成にかかる時間を短縮することができる。
【００８１】
ＩＣラベル作成システム１０１は、管理サーバ７が、ユーザＩＤとタグＩＤと個人情報とを対応付けて１つの組とし、複数組を記憶装置８０に記憶することができる。よって、例えば、スマートフォン３等は、複数のＳＮＳサーバ４，５にそれぞれ接続せずとも、個人情報を一括して管理サーバ７から取得することができる。また、ＩＣラベル作成システム１０１は、管理サーバ７が、ユーザＩＤとタグＩＤと個人情報とに参加者ＩＤを対応付けて１つの組とし、複数組を記憶装置８０に記憶することができる。例えば、スマートフォン３等が、管理サーバ７から個人情報を一括して取得する場合に、管理サーバ７は、タグＩＤと参加者ＩＤとの一致の有無に応じてスマートフォン３等に個人情報を送信することができ、セキュリティを高めることができる。
【００８２】
なお本発明は上述の実施形態に限定されず、種々の変更が可能である。情報端末装置の例としてスマートフォンを挙げたが、他にも、タブレット端末、ノート型あるいはタブレット型のＰＣ、携帯電話等（図示略）を挙げることができる。情報端末装置は、ＮＦＣやＦｅｌｉＣａ（登録商標）など、近接にて通信を行うことができるデバイスを搭載した携行可能な端末装置であるとよい。
【００８３】
第１実施形態において、スマートフォン３のＣＰＵ３０は、Ｓ１１の処理において、ユーザに任意のＳＮＳサイトを選択させたが、対応するＳＮＳサイトを予め１つに限定し、Ｓ１１およびＳ１５の処理を省いてもよい。この場合、ＣＰＵ３０がＳ１７の処理においてＩＣラベルプリンタ２に送信するＮＤＥＦメッセージ８のペイロード部８３に格納するデータは、ユーザＩＤのみで足りる。ゆえにＣＰＵ３０は、第１、第２実施形態のように、ＳＮＳサイト指定情報とユーザＩＤからなる１組または複数組のデータを所定のフォーマットで１つのテキストデータとして作成する必要がない。したがってＣＰＵ３０は、Ｓ１７の処理において、例えばスマートフォン３のＯＳが標準で備えるＮＦＣによる無線通信を行うアプリケーションを利用して、ＩＣラベルプリンタ２にＮＤＥＦメッセージ８を送信してもよい。なお、上記の場合、ＩＣラベルプリンタ２のＣＰＵ２０は、チケット作成に先立ち、複数のＳＮＳサイトのうちの１つのＳＮＳサイトを操作者に選択させることで、対応するＳＮＳサイトを予め１つに限定する処理を行ってもよい。
【００８４】
また、ＩＣラベルプリンタ２のＣＰＵ２０は、スマートフォン３のユーザに複数のＳＮＳサイトから選択させた１つのＳＮＳサイトに限定して対応するチケットを作成してもよい。すなわち、ＣＰＵ２０は、チケットに印刷するユーザの個人情報として、１つのＳＮＳサイトから取得した情報に限定したチケットを作成する。この場合、スマートフォン３のＣＰＵ３０は、Ｓ１１の処理においてユーザが選択したＳＮＳサイトのユーザＩＤをＳ１３の処理で入力させ、Ｓ１５の処理を省き、Ｓ１７の処理で、ＩＣラベルプリンタ２にＳＮＳサイト指定情報とユーザＩＤを含むＮＤＥＦメッセージ８を送信すればよい。
【００８５】
第２実施形態において、管理サーバ７のＣＰＵ７０は、ＩＣラベル６のＩＣチップ６１が保持する固有のタグＩＤと、管理サーバ７が発行した参加者ＩＤとをユーザの個人情報に対応付けて、記憶装置８０のデータベースのテーブルに記憶した。これに限らず、ＣＰＵ７０は、参加者ＩＤを発行せずに、タグＩＤのみをユーザの個人情報に対応付けて、データベースのテーブルに記憶してもよい。この場合、第１実施形態と同様に、ＩＣラベルプリンタ２のＣＰＵ２０は、ＩＣラベル６のＩＣチップ６１に、ＳＮＳサイトにおけるユーザ固有のＷｅｂページのＵＲＬを記憶させるとよい。スマートフォン３のユーザとは異なるイベントの参加者が有するスマートフォンや携帯電話等のＣＰＵは、例えばスマートフォン３のＯＳが標準で備えるＮＦＣによる無線通信を行うアプリケーションを利用する。そしてＣＰＵは、スマートフォン３のユーザのチケットからユーザ固有のＷｅｂページのＵＲＬを読み取り、ユーザ固有のＷｅｂページを表示画面に表示することができる。あるいは、ＣＰＵ７０は、参加者ＩＤを発行しても、タグＩＤは取得せずに、参加者ＩＤのみをユーザの個人情報に対応付けて、データベースのテーブルに記憶してもよい。
【００８６】
また、ＩＣラベルプリンタ２のＣＰＵ２０は、Ｓ１９の処理において、ＮＦＣによる無線通信を介してスマートフォン３からＳＮＳサイト指定情報とユーザＩＤを取得した。これに限らず、ＣＰＵ２０は、ユーザに操作部２６を操作させ、ＳＮＳサイト指定情報とユーザＩＤを入力させて、取得してもよい。
【００８７】
また、ＩＣラベルプリンタ２のＣＰＵ２０は、Ｓ４９の処理でユーザ固有のＷｅｂページのＵＲＬをユーザＩＤに基づいて生成することにより取得した。これに限らず、Ｓ３３の処理でＣＰＵ２０が送信するユーザＩＤに基づいて、ＳＮＳサーバ４，５がユーザ固有のＷｅｂページのＵＲＬを生成する。ＣＰＵ２０は、Ｓ４３の処理でＳＮＳサーバ４，５からユーザ固有のＷｅｂページのＵＲＬをレスポンスとして受信することで、取得してもよい。
【００８８】
ＩＣラベルプリンタ２のＣＰＵ２０が行う各処理（図５、図８、図９参照）は、ＣＰＵ２０によって実行される例に限定されず、他の電子部品（例えばＡＳＩＣ）によって実行されてもよい。また、ＩＣラベルプリンタ２のＣＰＵ２０が行う各処理は、１つのＣＰＵ２０だけでなく、複数の電子機器（つまり複数のＣＰＵ）によって分散処理されてもよい。例えば、ＣＰＵ２０はＳ４９の処理でＳＮＳサイトにおけるユーザ固有のＷｅｂページのＵＲＬを生成したが、管理サーバ７のＣＰＵ７０が生成してもよい。
【００８９】
ユーザＩＤが「第一識別情報」に相当する。スマートフォン３が「情報端末装置」に相当する。ＩＣラベルプリンタ２のＣＰＵ２０に、スマートフォン３からユーザＩＤを受信させるＳ１９の処理が「第一受信手段」に相当する。フラッシュメモリ２５が「第一記憶部」に相当する。ＳＮＳサーバ４，５が「第一サーバ」に相当する。サーバＩＤが「第二識別情報」に相当する。ＣＰＵ２０に、サーバＩＤに基づいてＳＮＳサーバ４，５を特定させるＳ３１の処理が「特定手段」に相当する。ＣＰＵ２０に、ＳＮＳサーバ４，５に対してユーザＩＤを送信させるＳ３３の処理が「第一送信手段」に相当する。ＣＰＵ２０に、ユーザＩＤに対応するユーザの個人情報をＳＮＳサーバ４，５から受信させるＳ４３の処理が「第二受信手段」に相当する。ＣＰＵ２０に、チケットのラベルデザインを作成させるＳ４７の処理が「第一生成手段」に相当する。ＩＣラベル６が「記録媒体」に相当する。印刷部２８が「画像形成部」に相当する。ＩＣラベル６の表面にラベルデザインを印刷する処理を印刷部２８に実行させる指示を、ＣＰＵ２０に送信させるＳ５５の処理が「画像形成手段」に相当する。ＳＮＳサイトにおけるユーザ固有のＷｅｂページのＵＲＬが「第一アクセス情報」に相当する。ＣＰＵ２０に、ユーザ固有のＷｅｂページのＵＲＬを生成させるＳ４９の処理が「第一取得手段」に相当する。ＩＣチップ６１の記憶部が「記憶装置」に相当する。ＮＦＣ  Ｉ／Ｆ２３が「書込部」に相当する。ユーザ固有のＷｅｂページのＵＲＬをＩＣチップ６１に記憶する処理をＮＦＣ  Ｉ／Ｆ２３に実行させる指示を、ＣＰＵ２０に送信させるＳ５３の処理が「第一記憶手段」に相当する。ＩＣラベルプリンタ２が「情報作成装置」に相当する。
【００９０】
ＳＮＳサイト指定情報が「指定情報」に相当する。ＣＰＵ２０に、スマートフォン３からＳＮＳサイト指定情報を受信させるＳ１９の処理が「第三受信手段」に相当する。タグＩＤが「第三識別情報」に相当する。ＣＰＵ２０に、ＮＦＣ  Ｉ／Ｆ２３が読み取ったＩＣラベル６のＩＣチップ６１が保持する固有のタグＩＤを取得させるＳ２０の処理が「第二取得手段」に相当する。管理サーバ７が「第二サーバ」に相当する。ＣＰＵ２０に、ユーザＩＤを管理サーバ７に送信させるＳ２２の処理と、タグＩＤとユーザの個人情報とを管理サーバ７に送信させるＳ５６の処理とが「第二送信手段」に相当する。参加者ＩＤが「第四識別情報」に相当する。ＣＰＵ２０に、管理サーバ７から参加者ＩＤを受信させるＳ３０の処理が「第四受信手段」に相当する。管理サーバ７におけるユーザ固有のＷｅｂサイトのＵＲＬが「第二アクセス情報」に相当する。ＣＰＵ２０に、管理サーバ７のＵＲＬを取得させるＳ７９の処理が「第三取得手段」に相当する。
【００９１】
スマートフォン３のＣＰＵ３０に、ユーザＩＤをＩＣラベルプリンタ２に送信させるＳ１７の処理が「第三送信手段」に相当する。ＣＰＵ３０に、ＳＮＳサイト指定情報をＩＣラベルプリンタ２に送信させるＳ１７の処理が「第四送信手段」に相当する。記憶装置８０が「第二記憶部」に相当する。ＩＣラベルプリンタ２が「情報作成装置」に相当する。管理サーバ７のＣＰＵ７０に、参加者ＩＤに対応付けてユーザＩＤ、タグＩＤおよびユーザの個人情報を記憶装置８０のデータベースに記憶させるＳ６０の処理が「第二記憶手段」に相当する。ＣＰＵ７０に、タグＩＤに基づく参加者ＩＤを生成させるＳ２６の処理が「第二生成手段」に相当する。ＣＰＵ７０に、生成した参加者ＩＤをＩＣラベルプリンタ２に対して送信させるＳ２８の処理が「第五送信手段」に相当する。
【符号の説明】
【００９２】
１，１０１  ＩＣラベル作成システム
２          ＩＣラベルプリンタ
３          スマートフォン
４，５      ＳＮＳサーバ
６          ＩＣラベル
７          管理サーバ
９          ネットワーク
２０          ＣＰＵ
２３          ＮＦＣ  Ｉ／Ｆ
２５          フラッシュメモリ
２８          印刷部
６１          ＩＣチップ
８０          記憶装置
【図１】
2014232455.tif 000003
【図２】
2014232455.tif 000004
【図３】
2014232455.tif 000005
【図４】
2014232455.tif 000006
【図５】
2014232455.tif 000007
【図６】
2014232455.tif 000008
【図７】
2014232455.tif 000009
【図８】
2014232455.tif 000010
【図９】
2014232455.tif 000011
【図１０】
2014232455.tif 000012